(57)【要約】【課題】「Ｉｎｔｅｒ-ｓｉｔｅ  ＣＡ」が行われる際の上りデータの送信遅延の発生を回避する。【解決手段】本発明に係る移動通信方法は、移動局ＵＥが、ＰＵＣＣＨ-ＳＲを用いて無線基地局ｅＮＢ＃１に対してＳＲを送信する工程と、無線基地局ｅＮＢ＃１が、移動局ＵＥに対して、「ＵＬ  ｇｒａｎｔ」を通知する工程と、移動局ＵＥが、かかる「ＵＬ  ｇｒａｎｔ」で指定されたＰＵＳＣＨを用いて、無線基地局ｅＮＢ＃１に対して、ベアラ＃Ｂ/ＬＣＨ＃ＢにおけるＢＳＲを送信する工程と、無線基地局ｅＮＢ＃１が、無線基地局ｅＮＢ＃１０に対して、ベアラ＃Ｂ/ＬＣＨ＃Ｂにおけるバッファ滞留量を通知する工程と、無線基地局ｅＮＢ＃１０が、かかるバッファ滞留量の受信に応じて、移動局ＵＥに対して、上りデータを送信するためのリソースを割り当てる工程とを有する。【選択図】図３
2014053683.tif 000002
【特許請求の範囲】
【請求項１】
移動局が第１無線基地局配下の第１セル及び第２無線基地局配下の第２セルを介してキャリアアグリゲーションを行うことができるように構成されている移動通信システムにおける移動通信方法であって、
前記移動局と前記第１無線基地局との間で第１論理チャネルが設定されており、該移動局と前記第２無線基地局との間で第２論理チャネルが設定されており、該第１無線基地局によって該移動局に対してスケジューリング要求送信用リソースが割り当てられており、該移動局において該第２論理チャネルにて送信すべき上りデータが発生した場合、該移動局が、該スケジューリング要求送信用リソースを用いて該第１無線基地局に対してスケジューリング要求を送信する工程と、
前記第１無線基地局が、前記移動局に対して、バッファ滞留量送信用リソースを通知する工程と、
前記移動局が、前記バッファ滞留量送信用リソースを用いて、該第１無線基地局に対して、前記第２論理チャネルにおけるバッファ滞留量を送信する工程と、
前記第１無線基地局が、前記第２無線基地局に対して、前記第２論理チャネルにおけるバッファ滞留量を通知する工程と、
前記第２無線基地局が、前記バッファ滞留量の受信に応じて、前記移動局に対して、前記上りデータを送信するためのリソースを割り当てる工程とを有することを特徴とする移動通信方法。
【請求項２】
移動局が第１無線基地局配下の第１セル及び第２無線基地局配下の第２セルを介してキャリアアグリゲーションを行うことができるように構成されている移動通信システムにおける移動通信方法であって、
前記移動局と前記第１無線基地局との間で第１論理チャネルが設定されており、該移動局と前記第２無線基地局との間で第２論理チャネルが設定されており、該第１無線基地局及び該第２無線基地局の各々によって該移動局に対してスケジューリング要求送信用リソースが割り当てられており、該移動局において該第２論理チャネルにて送信すべき上りデータが発生した場合、該移動局が、該第１無線基地局によって割り当てられた該スケジューリング要求送信用リソースを用いて該第１無線基地局に対してスケジューリング要求を送信せず、該第２無線基地局によって割り当てられた該スケジューリング要求送信用リソースを用いて該第１無線基地局に対してスケジューリング要求を送信する工程と、
前記第２無線基地局が、前記移動局に対して、バッファ滞留量送信用リソースを通知する工程と、
前記移動局が、前記バッファ滞留量送信用リソースを用いて、該第２無線基地局に対して、前記第２論理チャネルにおけるバッファ滞留量を送信する工程と、
前記第２無線基地局が、前記バッファ滞留量に応じて、前記移動局に対して、前記上りデータを送信するためのリソースを割り当てる工程とを有することを特徴とする移動通信方法。
【請求項３】
移動局が第１無線基地局配下の第１セル及び第２無線基地局配下の第２セルを介してキャリアアグリゲーションを行うことができるように構成されている移動通信システムにおける移動通信方法であって、
前記移動局と前記第１無線基地局との間で第１論理チャネルが設定されており、該移動局と前記第２無線基地局との間で第２論理チャネルが設定されており、該第１無線基地局によって該移動局に対してスケジューリング要求送信用リソースが割り当てられており、前記第２無線基地局によって該移動局に対してスケジューリング要求送信用リソースが割り当てられておらず、該移動局において該第２論理チャネルにて送信すべき上りデータが発生した場合、該移動局が、該第１無線基地局によって割り当てられた該スケジューリング要求送信用リソースを用いて該第１無線基地局に対してスケジューリング要求を送信せず、該第２無線基地局との間でランダムアクセス手順を開始する工程と、
前記第２無線基地局が、前記ランダムアクセス手順において、前記移動局に対して、バッファ滞留量送信用リソースを通知する工程と、
前記移動局が、前記バッファ滞留量送信用リソースを用いて、該第２無線基地局に対して、前記第２論理チャネルにおけるバッファ滞留量を送信する工程と、
前記第２無線基地局が、前記バッファ滞留量に応じて、前記移動局に対して、前記上りデータを送信するためのリソースを割り当てる工程とを有することを特徴とする移動通信方法。
【請求項４】
移動局が第１無線基地局配下の第１セル及び第２無線基地局配下の第２セルを介してキャリアアグリゲーションを行うことができるように構成されている移動通信システムにおける移動通信方法であって、
前記移動局と前記第１無線基地局との間で第１論理チャネルが設定されており、該移動局と前記第２無線基地局との間で第２論理チャネルが設定されており、該第１無線基地局によって該移動局に対してスケジューリング要求送信用リソースが割り当てられており、該移動局において該第２論理チャネルにて送信すべき上りデータが発生した場合には、該第１無線基地局によって該スケジューリング要求送信用リソースが割り当てられている場合であっても、該移動局が、該第２無線基地局によって通知されたバッファ滞留量送信用リソースを用いて、該第２無線基地局に対して、前記第２論理チャネルにおけるバッファ滞留量を送信する工程と、
前記第２無線基地局が、前記バッファ滞留量の受信に応じて、前記移動局に対して、前記上りデータを送信するためのリソースを割り当てる工程とを有することを特徴とする移動通信方法。
【請求項５】
移動局が第１無線基地局配下の第１セル及び第２無線基地局配下の第２セルを介してキャリアアグリゲーションを行うことができるように構成されている移動通信システムにおいて該第２無線基地局として動作可能な無線基地局であって、
前記移動局と前記第１無線基地局との間で第１論理チャネルが設定されており、該移動局と前記第２無線基地局との間で第２論理チャネルが設定されており、該第１無線基地局によって該移動局に対してスケジューリング要求送信用リソースが割り当てられており、該移動局において該第２論理チャネルにて送信すべき上りデータが発生した場合に、該移動局が、該スケジューリング要求送信用リソースを用いて該第１無線基地局に対してスケジューリング要求を送信した後、該第１無線基地局から、該第２論理チャネルにおけるバッファ滞留量を受信するように構成されている受信部と、
前記バッファ滞留量の受信に応じて、前記移動局に対して、前記上りデータを送信するためのリソースを通知するように構成されている送信部とを具備することを特徴とする無線基地局。
【請求項６】
第１無線基地局配下の第１セル及び第２無線基地局配下の第２セルを介してキャリアアグリゲーションを行うことができるように構成されている移動局であって、
前記第１無線基地局との間で第１論理チャネルが設定されており、前記第２無線基地局との間で第２論理チャネルが設定されており、該第１無線基地局によって該移動局に対してスケジューリング要求送信用リソースが割り当てられており、該第２無線基地局によって該移動局に対してスケジューリング要求送信用リソースが割り当てられておらず、該第２論理チャネルにて送信すべき上りデータが発生した場合であっても、該第１無線基地局によって割り当てられた該スケジューリング要求送信用リソースを用いて該第１無線基地局に対してスケジューリング要求を送信せず、該第２無線基地局との間でランダムアクセス手順を開始するように構成されており、
前記ランダムアクセス手順において、前記第２無線基地局によって通知されたバッファ滞留量送信用リソースを用いて、該第２無線基地局に対して、前記第２論理チャネルにおけるバッファ滞留量を送信するように構成されていることを特徴とする移動局。
【請求項７】
第１無線基地局配下の第１セル及び第２無線基地局配下の第２セルを介してキャリアアグリゲーションを行うことができるように構成されている移動局であって、
前記第１無線基地局との間で第１論理チャネルが設定されており、前記第２無線基地局との間で第２論理チャネルが設定されており、該第１無線基地局及び該第２無線基地局の各々によって前記移動局に対してスケジューリング要求送信用リソースが割り当てられており、該第２論理チャネルにて送信すべき上りデータが発生した場合、前記第１無線基地局によって割り当てられた該スケジューリング要求送信用リソースを用いて該第１無線基地局に対してスケジューリング要求を送信せず、該第２無線基地局によって割り当てられた該スケジューリング要求送信用リソースを用いて該第２無線基地局に対してスケジューリング要求を送信するように構成されており、
前記第２無線基地局によって通知されたバッファ滞留量送信用リソースを用いて、該第２無線基地局に対して、前記第２論理チャネルにおけるバッファ滞留量を送信するように構成されていることを特徴とする移動局。
【請求項８】
第１無線基地局配下の第１セル及び第２無線基地局配下の第２セルを介してキャリアアグリゲーションを行うことができるように構成されている移動局であって、
前記第１無線基地局との間で第１論理チャネルが設定されており、前記第２無線基地局との間で第２論理チャネルが設定されており、該第２論理チャネルに該第２無線基地局が関連付けられており、該第２論理チャネルにて送信すべき上りデータが発生した場合には、該第１無線基地局によってスケジューリング要求送信用リソースが割り当てられている場合であっても、該第２無線基地局によって通知されたバッファ滞留量送信用リソースを用いて、該第２無線基地局に対して、前記第２論理チャネルにおけるバッファ滞留量を送信するように構成されていることを特徴とする移動局。
【請求項９】
第１無線基地局配下の第１セル及び第２無線基地局配下の第２セルを介してキャリアアグリゲーションを行うことができるように構成されている移動局であって、
前記第１無線基地局との間で第１論理チャネルが設定されており、前記第２無線基地局との間で第２論理チャネルが設定されており、該第２論理チャネルに該第２無線基地局が関連付けられており、該第２論理チャネルにて送信すべき上りデータが発生した場合には、該第１無線基地局によって前記移動局に対してスケジューリング要求送信用リソースが割り当てられている場合であっても、該第１無線基地局によって割り当てられた該スケジューリング要求送信用リソースを用いて該第１無線基地局に対してスケジューリング要求を送信せず、該第２無線基地局によって割り当てられた該スケジューリング要求送信用リソースを用いて該第２無線基地局に対してスケジューリング要求を送信する、或いは、該第２無線基地局との間でランダムアクセス手順を起動するように構成されており、
所定期間、前記第２無線基地局によって該移動局に対してリソースが割り当てられない場合に、前記第１無線基地局に対して、該第１無線基地局によって割り当てられた前記スケジューリング要求送信用リソースを用いてスケジューリング要求を送信する、或いは、該第１無線基地局との間でランダムアクセス手順を起動するように構成されていることを特徴とする移動局。
【請求項１０】
移動局が第１無線基地局配下の第１セル及び第２無線基地局配下の第２セルを介してキャリアアグリゲーションを行うことができるように構成されている移動通信システムにおいて該第１無線基地局として動作可能な無線基地局であって、
前記移動局と前記第１無線基地局との間で第１論理チャネルが設定されており、該移動局と前記第２無線基地局との間で第２論理チャネルが設定されており、該第１無線基地局によって該移動局に対してスケジューリング要求送信用リソースが割り当てられており、該移動局において該第２論理チャネルにて送信すべき上りデータが発生した場合に、該移動局から、該スケジューリング要求送信用リソースを用いてスケジューリング要求を受信した後、該移動局に対して、バッファ滞留量送信用リソースを通知するように構成されており、
前記移動局から、前記バッファ滞留量送信用リソースを用いて、前記第２論理チャネルにおけるバッファ滞留量を受信した際に、前記第２無線基地局に対して、該バッファ滞留量を通知するように構成されていることを特徴とする無線基地局。
【発明の詳細な説明】
【技術分野】
【０００１】
本発明は、移動通信方法、無線基地局及び移動局に関する。
【背景技術】
【０００２】
ＬＴＥ（Ｌｏｎｇ  Ｔｅｒｍ  Ｅｖｏｌｕｔｉｏｎ）方式のＲｅｌｅａｓｅ-１０において、図６（ａ）に示すように、２０ＭＨｚを超える広帯域通信（例えば、１００Ｈｚの通信）を実現するために、同一の無線基地局ｅＮＢ配下の複数のＣＣ（Ｃｏｍｐｏｎｅｎｔ  Ｃａｒｒｉｅｒ：コンポーネントキャリア）を束ねて通信を行うＣＡ（Ｃａｒｒｉｅｒ  Ａｇｇｒｅｇａｔｉｏｎ：キャリアアグリゲーション）が導入された。
【０００３】
その後、ＬＴＥ方式のＲｅｌｅａｓｅ-１２以降で、「Ｓｍａｌｌ  Ｃｅｌｌ  ｅｎｈａｎｃｅｍｅｎｔ」が提案され、従来よりも更に柔軟なネットワークアーキテクチャの１つとして、異なる無線基地局ｅＮＢ配下のＣＣ（セル）を束ねて通信を行う「Ｉｎｔｅｒ-ｓｉｔｅ  ＣＡ」の導入が検討されている（図６（ｂ）参照）。
【０００４】
例えば、「Ｉｎｔｅｒ-ｓｉｔｅ  ＣＡ」を用いて、図６（ｂ）に示すように、信頼性の必要なＣ-ｐｌａｎｅデータ（ＳＲＢ：Ｓｉｇｎａｌｉｎｇ  Ｒａｄｉｏ  Ｂｅａｒｅｒ）については、無線基地局ｅＮＢ＃１（マクロｅＮＢ）配下のセル＃１（マクロセル）で通信を行い、広帯域通信の必要なＵ-ｐｌａｎｅデータ（ＤＲＢ：Ｄａｔａ  Ｒａｄｉｏ  Ｂｅａｒｅｒ）については、無線基地局ｅＮＢ＃１０（スモールｅＮＢ）配下のセル＃１０（スモールセル）で通信を行うといった運用も考えられる。
【０００５】
このように、Ｃ-ｐｌａｎｅデータについては、無線基地局ｅＮＢ＃１配下のセル＃１で通信を行い、Ｕ-ｐｌａｎｅデータについては、無線基地局ｅＮＢ＃１０配下のセル＃１０で通信を行う場合、図７に示すように、基本的には、無線基地局ｅＮＢ＃１が、移動局ＵＥと無線基地局ｅＮＢ＃１/無線基地局ｅＮＢ＃１０との間の接続性や設定のハンドリングを行うことが想定される。
【０００６】
また、かかる場合、基本的には、セル＃１（マクロセル）を信頼性の高いＰｃｅｌｌ（Ｐｒｉｍａｒｙ  Ｃｅｌｌ）に設定し、セル＃１０を付随的なＳｃｅｌｌ（Ｓｅｃｏｎｄａｒｙ  Ｃｅｌｌ）として設定することも想定される。
【０００７】
かかる場合、各無線基地局ｅＮＢ＃１/＃１０は、独立にスケジューラを用いて移動局ＵＥに対するスケジューリング処理を行うことが想定される。
【０００８】
また、ＬＴＥ方式において、移動局ＵＥは、送信すべき上りリンクデータが発生した場合、図８に示すように、無線基地局ｅＮＢに対してスケジューリング要求を行うことが規定されている。
【０００９】
図８に示すように、移動局ＵＥに対して、個別のＳＲ（Ｓｃｈｅｄｕｌｉｎｇ  Ｒｅｑｕｅｓｔ、スケジューリング要求）送信用リソースである「ＰＵＣＣＨ（Ｐｈｙｓｉｃａｌ  Ｕｐｌｉｎｋ  Ｃｏｎｔｒｏｌ  Ｃｈａｎｎｅｌ）-ＳＲリソース」が割り当てられている場合、移動局ＵＥは、ＳＴＥＰ１において、無線基地局ｅＮＢに対して、かかるＰＵＣＣＨ-ＳＲを用いて、ＳＲを送信する。
【００１０】
一方、移動局ＵＥに対して、ＰＵＣＣＨ-ＳＲが割り当てられていない場合、移動局ＵＥは、ＳＴＥＰ１において、ＲＡ（Ｒａｎｄｏｍ  Ａｃｃｅｓｓ、ランダムアクセス）手順を開始する。
【００１１】
ＳＴＥＰ２において、移動局ＵＥは、上述のＳＲに対して割り当てられた「ＵＬ  ｇｒａｎｔ」に対応するＰＵＳＣＨ（Ｐｈｙｓｉｃａｌ  Ｕｐｌｉｎｋ  Ｓｈａｒｅｄ  Ｃｈａｎｎｅｌ）を用いて、無線基地局ｅＮＢに対して、ＢＳＲ（Ｂｕｆｆｅｒ  Ｓｔａｔｕｓ  Ｒｅｐｏｒｔ）を送信する。
【００１２】
ここで、ＳＴＥＰ１においてＲＡ手順が行われた場合、ＲＡ手順において送信される「ＲＡ  ｒｅｓｐｏｎｓｅ」によって「ＵＬ  ｇｒａｎｔ」が指定される。
【００１３】
なお、図９に示すように、ＢＳＲは、上りリンクデータが存在するＬＣＧ（Ｌｏｇｉｃａｌ  Ｃｈａｎｎｅｌ  Ｇｒｏｕｐ、論理チャネルグループ）毎に、各ＬＣＨ（Ｌｏｇｉｃａｌ  Ｃｈａｎｎｅｌ）におけるバッファ滞留量を算出して報告するものである。
【先行技術文献】
【非特許文献】
【００１４】
【非特許文献１】３ＧＰＰ  ３６.３００
【非特許文献２】３ＧＰＰ  ３６.３２１
【発明の概要】
【発明が解決しようとする課題】
【００１５】
既存のＬＴＥ方式では、「Ｉｎｔｅｒ-ｓｉｔｅ  ＣＡ」において、スケジューラが、無線基地局ｅＮＢ毎に独立に搭載される場合においても、移動局ＵＥは、ＢＳＲがトリガされている場合に「ＵＬ  ｇｒａｎｔ」を受信したセルで、ＢＳＲを報告することとなる。
【００１６】
例えば、図１０の例では、移動局ＵＥは、ベアラ＃Ｂ/ＬＣＨ＃Ｂにおいて送信すべき上りデータが発生した場合には、ＰＵＣＣＨ-ＳＲが割り当てられているベアラ＃Ａ/ＬＣＨ＃Ａを介して、ＳＲを送信し、「ＵＬ  ｇｒａｎｔ」を受信することになる。ここで、ＬＣＨ＃Ａ及びＬＣＨ＃Ｂは、同一のＬＣＧ＃１に属しているものとする。
【００１７】
その結果、移動局ＵＥは、無線基地局ｅＮＢ＃１の無線リソースを介して、無線基地局ｅＮＢ＃１に対して、ベアラ＃Ｂ/ＬＣＨ＃ＢにおけるＢＳＲを送信することとなる。
【００１８】
なお、本明細書では、「ベアラ」と「ＬＣＨ」とは同義であるものとして説明を行う。
【００１９】
ここで、無線基地局ｅＮＢ＃１は、移動局ＵＥとの間で、ベアラ＃Ｂ/ＬＣＨ＃Ｂを設定していないため、かかるベアラ＃Ｂ/ＬＣＨ＃ＢにおけるＢＳＲを受信した場合であっても、移動局ＵＥに対して、ベアラ＃Ｂ/ＬＣＨ＃Ｂにおいて上りデータを送信するためのリソースを割り当てることができない。
【００２０】
したがって、ベアラ＃Ｂ/ＬＣＨ＃Ｂが設定されている無線基地局ｅＮＢ＃１０に対して、ベアラ＃Ｂ/ＬＣＨ＃ＢにおけるＢＳＲが届くまで、ベアラ＃Ｂ/ＬＣＨ＃Ｂにおいて上りデータを送信するためのリソースを割り当てが行われず、上りデータの送信遅延が発生してしまうという問題点があった。
【００２１】
そこで、本発明は、上述の課題に鑑みてなされたものであり、「Ｉｎｔｅｒ-ｓｉｔｅ  ＣＡ」が行われる際の上りデータの送信遅延の発生を回避することができる移動通信方法、無線基地局及び移動局を提供することを目的とする。
【課題を解決するための手段】
【００２２】
本発明の第１の特徴は、移動局が第１無線基地局配下の第１セル及び第２無線基地局配下の第２セルを介してキャリアアグリゲーションを行うことができるように構成されている移動通信システムにおける移動通信方法であって、前記移動局と前記第１無線基地局との間で第１論理チャネルが設定されており、該移動局と前記第２無線基地局との間で第２論理チャネルが設定されており、該第１無線基地局によって該移動局に対してスケジューリング要求送信用リソースが割り当てられており、該移動局において該第２論理チャネルにて送信すべき上りデータが発生した場合、該移動局が、該スケジューリング要求送信用リソースを用いて該第１無線基地局に対してスケジューリング要求を送信する工程と、前記第１無線基地局が、前記移動局に対して、バッファ滞留量送信用リソースを通知する工程と、前記移動局が、前記バッファ滞留量送信用リソースを用いて、該第１無線基地局に対して、前記第２論理チャネルにおけるバッファ滞留量を送信する工程と、前記第１無線基地局が、前記第２無線基地局に対して、前記第２論理チャネルにおけるバッファ滞留量を通知する工程と、前記第２無線基地局が、前記バッファ滞留量の受信に応じて、前記移動局に対して、前記上りデータを送信するためのリソースを割り当てる工程とを有することを要旨とする。
【００２３】
本発明の第２の特徴は、移動局が第１無線基地局配下の第１セル及び第２無線基地局配下の第２セルを介してキャリアアグリゲーションを行うことができるように構成されている移動通信システムにおける移動通信方法であって、前記移動局と前記第１無線基地局との間で第１論理チャネルが設定されており、該移動局と前記第２無線基地局との間で第２論理チャネルが設定されており、該第１無線基地局及び該第２無線基地局の各々によって該移動局に対してスケジューリング要求送信用リソースが割り当てられており、該移動局において該第２論理チャネルにて送信すべき上りデータが発生した場合、該移動局が、該第１無線基地局によって割り当てられた該スケジューリング要求送信用リソースを用いて該第１無線基地局に対してスケジューリング要求を送信せず、該第２無線基地局によって割り当てられた該スケジューリング要求送信用リソースを用いて該第１無線基地局に対してスケジューリング要求を送信する工程と、前記第２無線基地局が、前記移動局に対して、バッファ滞留量送信用リソースを通知する工程と、前記移動局が、前記バッファ滞留量送信用リソースを用いて、該第２無線基地局に対して、前記第２論理チャネルにおけるバッファ滞留量を送信する工程と、前記第２無線基地局が、前記バッファ滞留量に応じて、前記移動局に対して、前記上りデータを送信するためのリソースを割り当てる工程とを有することを要旨とする。
【００２４】
本発明の第３の特徴は、移動局が第１無線基地局配下の第１セル及び第２無線基地局配下の第２セルを介してキャリアアグリゲーションを行うことができるように構成されている移動通信システムにおける移動通信方法であって、前記移動局と前記第１無線基地局との間で第１論理チャネルが設定されており、該移動局と前記第２無線基地局との間で第２論理チャネルが設定されており、該第１無線基地局においてスケジューリング要求送信用リソースが割り当てられており、前記第２無線基地局においてスケジューリング要求送信用リソースが割り当てられておらず、該移動局において該第２論理チャネルにて送信すべき上りデータが発生した場合、該移動局が、該第１無線基地局によって割り当てられた該スケジューリング要求送信用リソースを用いて該第１無線基地局に対してスケジューリング要求を送信せず、該第２無線基地局との間でランダムアクセス手順を開始する工程と、前記第２無線基地局が、前記ランダムアクセス手順において、前記移動局に対して、バッファ滞留量送信用リソースを通知する工程と、前記移動局が、前記バッファ滞留量送信用リソースを用いて、該第２無線基地局に対して、前記第２論理チャネルにおけるバッファ滞留量を送信する工程と、前記第２無線基地局が、前記バッファ滞留量に応じて、前記移動局に対して、前記上りデータを送信するためのリソースを割り当てる工程とを有することを要旨とする。
【００２５】
本発明の第４の特徴は、移動局が第１無線基地局配下の第１セル及び第２無線基地局配下の第２セルを介してキャリアアグリゲーションを行うことができるように構成されている移動通信システムにおける移動通信方法であって、前記移動局と前記第１無線基地局との間で第１論理チャネルが設定されており、該移動局と前記第２無線基地局との間で第２論理チャネルが設定されており、該第１無線基地局によって該移動局に対してスケジューリング要求送信用リソースが割り当てられており、該移動局において該第２論理チャネルにて送信すべき上りデータが発生した場合には、該第１無線基地局によって該スケジューリング要求送信用リソースが割り当てられている場合であっても、該移動局が、該第２無線基地局によって通知されたバッファ滞留量送信用リソースを用いて、該第２無線基地局に対して、前記第２論理チャネルにおけるバッファ滞留量を送信する工程と、前記第２無線基地局が、前記バッファ滞留量の受信に応じて、前記移動局に対して、前記上りデータを送信するためのリソースを割り当てる工程とを有することを要旨とする。
【００２６】
本発明の第５の特徴は、移動局が第１無線基地局配下の第１セル及び第２無線基地局配下の第２セルを介してキャリアアグリゲーションを行うことができるように構成されている移動通信システムにおいて該第２無線基地局として動作可能な無線基地局であって、前記移動局と前記第１無線基地局との間で第１論理チャネルが設定されており、該移動局と前記第２無線基地局との間で第２論理チャネルが設定されており、該第１論理チャネルにおいてスケジューリング要求送信用リソースが割り当てられており、該移動局において該第２論理チャネルにて送信すべき上りデータが発生した場合に、該移動局が、該スケジューリング要求送信用リソースを用いて該第１無線基地局に対してスケジューリング要求を送信した後、前記第１無線基地局から、該第２論理チャネルにおけるバッファ滞留量を受信するように構成されている受信部と、前記バッファ滞留量の受信に応じて、前記移動局に対して、前記上りデータを送信するためのリソースを通知するように構成されている送信部とを具備することを要旨とする。
【００２７】
本発明の第６の特徴は、第１無線基地局配下の第１セル及び第２無線基地局配下の第２セルを介してキャリアアグリゲーションを行うことができるように構成されている移動局であって、前記第１無線基地局との間で第１論理チャネルが設定されており、前記第２無線基地局との間で第２論理チャネルが設定されており、該第１無線基地局によってスケジューリング要求送信用リソースが割り当てられており、該第２無線基地局によってスケジューリング要求送信用リソースが割り当てられておらず、該第２論理チャネルにて送信すべき上りデータが発生した場合であっても、該スケジューリング要求送信用リソースを用いて該第１無線基地局に対してスケジューリング要求を送信せず、該第２無線基地局との間でランダムアクセス手順を開始するように構成されており、前記ランダムアクセス手順において、前記第２無線基地局から取得したバッファ滞留量送信用リソースを用いて、該第２無線基地局に対して、前記第２論理チャネルにおけるバッファ滞留量を送信するように構成されていることを要旨とする。
【００２８】
本発明の第７の特徴は、第１無線基地局配下の第１セル及び第２無線基地局配下の第２セルを介してキャリアアグリゲーションを行うことができるように構成されている移動局であって、前記第１無線基地局との間で第１論理チャネルが設定されており、前記第２無線基地局との間で第２論理チャネルが設定されており、該第１無線基地局及び該第２無線基地局の各々によってスケジューリング要求送信用リソースが割り当てられており、該第２論理チャネルにて送信すべき上りデータが発生した場合、前記第１無線基地局によって割り当てられた該スケジューリング要求送信用リソースを用いて該第１無線基地局に対してスケジューリング要求を送信せず、該第２無線基地局によって割り当てられた該スケジューリング要求送信用リソースを用いて該第２無線基地局に対してスケジューリング要求を送信するように構成されており、前記第２無線基地局から取得したバッファ滞留量送信用リソースを用いて、該第２無線基地局に対して、前記第２論理チャネルにおけるバッファ滞留量を送信するように構成されていることを要旨とする。
【００２９】
本発明の第８の特徴は、第１無線基地局配下の第１セル及び第２無線基地局配下の第２セルを介してキャリアアグリゲーションを行うことができるように構成されている移動局であって、前記第１無線基地局との間で第１論理チャネルが設定されており、前記第２無線基地局との間で第２論理チャネルが設定されており、該第２論理チャネルに該第２無線基地局が関連付けられており、該第２論理チャネルにて送信すべき上りデータが発生した場合には、該第１無線基地局によってスケジューリング要求送信用リソースが割り当てられている場合であっても、該第２無線基地局によって通知されたバッファ滞留量送信用リソースを用いて、該第２無線基地局に対して、前記第２論理チャネルにおけるバッファ滞留量を送信するように構成されていることを要旨とする。
【００３０】
本発明の第９の特徴は、第１無線基地局配下の第１セル及び第２無線基地局配下の第２セルを介してキャリアアグリゲーションを行うことができるように構成されている移動局であって、前記第１無線基地局との間で第１論理チャネルが設定されており、前記第２無線基地局との間で第２論理チャネルが設定されており、該第２論理チャネルに該第２無線基地局が関連付けられており、該第２論理チャネルにて送信すべき上りデータが発生した場合には、該第１無線基地局によってスケジューリング要求送信用リソースが割り当てられている場合であっても、該第１無線基地局によって割り当てられた該スケジューリング要求送信用リソースを用いて該第１無線基地局に対してスケジューリング要求を送信せず、該第２無線基地局によって割り当てられた該スケジューリング要求送信用リソースを用いて該第２無線基地局に対してスケジューリング要求を送信する、或いは、ランダムアクセス手順を起動するように構成されており、所定期間、前記第２無線基地局によってリソースが割り当てられない場合に、前記第１無線基地局に対して、該第１無線基地局によって割り当てられた前記スケジューリング要求送信用リソースを用いてスケジューリング要求を送信する、或いは、ランダムアクセス手順を起動するように構成されていることを要旨とする。
【００３１】
本発明の第１０の特徴は、移動局が第１無線基地局配下の第１セル及び第２無線基地局配下の第２セルを介してキャリアアグリゲーションを行うことができるように構成されている移動通信システムにおいて該第１無線基地局として動作可能な無線基地局であって、前記移動局と前記第１無線基地局との間で第１論理チャネルが設定されており、該移動局と前記第２無線基地局との間で第２論理チャネルが設定されており、該第１無線基地局によって該移動局に対してスケジューリング要求送信用リソースが割り当てられており、該移動局において該第２論理チャネルにて送信すべき上りデータが発生した場合に、該移動局から、該スケジューリング要求送信用リソースを用いてスケジューリング要求を受信した後、該移動局に対して、バッファ滞留量送信用リソースを通知するように構成されており、前記移動局から、前記バッファ滞留量送信用リソースを用いて、前記第２論理チャネルにおけるバッファ滞留量を受信した際に、前記第２無線基地局に対して、該バッファ滞留量を通知するように構成されていることを要旨とする。
【発明の効果】
【００３２】
以上説明したように、本発明によれば、「Ｉｎｔｅｒ-ｓｉｔｅ  ＣＡ」が行われる際の上りデータの送信遅延の発生を回避することができる移動通信方法、無線基地局及び移動局を提供することができる。
【図面の簡単な説明】
【００３３】
【図１】本発明の第１の実施形態に係る移動通信システムの全体構成図である。
【図２】本発明の第１の実施形態に係る無線基地局の機能ブロック図である。
【図３】本発明の第２の実施形態に係る移動通信システムの全体構成図である。
【図４】本発明の変更例１に係る移動局の機能ブロック図である。
【図５】本発明の変更例１に係る移動局の動作を示すフローチャートである。
【図６】従来技術を説明するための図である。
【図７】従来技術を説明するための図である。
【図８】従来技術を説明するための図である。
【図９】従来技術を説明するための図である。
【図１０】従来技術を説明するための図である。
【発明を実施するための形態】
【００３４】
（本発明の第１の実施形態に係る移動通信システム）
図１及び図２を参照して、本発明の第１の実施形態に係る移動通信システムについて説明する。
【００３５】
図１に示すように、本実施形態に係る移動通信システムは、ＬＴＥ方式の移動通信システムであって、「Ｉｎｔｅｒ-ｓｉｔｅ  ＣＡ」を適用することができるように構成されている。
【００３６】
また、本実施形態に係る移動通信システムは、セル＃１０を管理する無線基地局ｅＮＢ＃１０（スモールｅＮＢ）と、セル＃１を管理する無線基地局ｅＮＢ＃１（マクロｅＮＢ）とを具備している。
【００３７】
ここで、セル＃１０は、スモールセル（ファントムセル）であり、セル＃１は、マクロセルである。なお、セル＃１０のカバレッジエリア及びセル＃１のカバレッジエリアは、少なくとも一部で重なるように配置されている。
【００３８】
図１に示すように、本実施形態に係る移動通信システムでは、セル＃１において移動局ＵＥと無線基地局ｅＮＢ＃１との間でベアラ＃Ａ/ＬＣＨ＃Ａが設定されており、セル＃１０において移動局ＵＥと無線基地局ｅＮＢ＃１０との間でベアラ＃Ｂ/ＬＣＨ＃Ｂが設定されている。
【００３９】
また、本実施形態に係る移動通信システムでは、移動局ＵＥに対して、無線基地局ｅＮＢ＃１配下のセルにおいてＰＵＣＣＨ-ＳＲが割り当てられている。
【００４０】
図２に示すように、本実施形態に係る無線基地局は、受信部１１と、送信部１２とを具備している。
【００４１】
無線基地局ｅＮＢ＃１の受信部１１は、移動局ＵＥや無線基地局ｅＮＢ＃１０から各種信号を受信するように構成されており、無線基地局ｅＮＢ＃１の送信部１２は、移動局ＵＥや無線基地局ｅＮＢ＃１０に対して各種信号を送信するように構成されている。
【００４２】
一方、無線基地局ｅＮＢ＃１０の受信部１１は、移動局ＵＥや無線基地局ｅＮＢ＃１から各種信号を受信するように構成されており、無線基地局ｅＮＢ＃１０の送信部１２は、移動局ＵＥや無線基地局ｅＮＢ＃１に対して各種信号を送信するように構成されている。
【００４３】
以下、図１を参照して、本実施形態に係る移動通信システムの動作例１について説明する。
【００４４】
第１に、移動局ＵＥは、ベアラ＃Ｂ/ＬＣＨ＃Ｂにて送信すべき上りデータが発生した場合、ＰＵＣＣＨ-ＳＲが割り当てられているため、無線基地局ｅＮＢ＃１に対して、かかるＰＵＣＣＨ-ＳＲを用いて、ＳＲを送信する。
【００４５】
第２に、無線基地局ｅＮＢ＃１の受信部１１が、かかるＳＲを受信すると、無線基地局ｅＮＢ＃１の送信部１２は、移動局ＵＥに対して、無線基地局ｅＮＢ＃１配下のセルの無線リソースを用いて、ＰＵＳＣＨを割り当てる「ＵＬ  ｇｒａｎｔ」を送信する。
【００４６】
第３に、移動局ＵＥは、「ＵＬ  ｇｒａｎｔ」に対応するＰＵＳＣＨを用いて、ベアラ＃Ｂ/ＬＣＨ＃Ｂにおけるバッファ滞留量を報告するＢＳＲを送信する。
【００４７】
第４に、無線基地局ｅＮＢ＃１の受信部１１が、かかるＢＳＲを受信すると、無線基地局ｅＮＢ＃１の送信部１２は、無線基地局ｅＮＢ＃１０に対して、かかるベアラ＃Ｂ/ＬＣＨ＃Ｂにおけるバッファ滞留量を通知する。
【００４８】
第５に、無線基地局ｅＮＢ＃１０の受信部１１が、かかるバッファ滞留量を受信すると、無線基地局ｅＮＢ＃１０の送信部１２は、移動局ＵＥに対して、ベアラ＃Ｂ/ＬＣＨ＃Ｂの上りデータを送信するためのリソースを通知する。
【００４９】
この場合、ＢＳＲは、ＬＣＨ/ベアラ毎に通知されてもよいし、ＬＣＧ毎に通知され、「どちらの無線基地局宛てであるか」或いは「どのセルにおけるＵＬ  ｇｒａｎｔを期待しているか」について通知されてもよい。
【００５０】
また、図１を参照して、本実施形態に係る移動通信システムの動作例２について説明する。なお、かかる動作例２では、無線基地局ｅＮＢ＃１０によってＰＵＣＣＨ-ＳＲが割り当てられているものとする。
【００５１】
第１に、移動局ＵＥは、ベアラ＃Ｂ/ＬＣＨ＃Ｂにて送信すべき上りデータが発生した場合、ベアラ＃Ａ/ＬＣＨ＃Ａが設定されている無線基地局ｅＮＢ＃１によってＰＵＣＣＨ-ＳＲが割り当てられている場合であっても、無線基地局ｅＮＢ＃１に対して、かかるＰＵＣＣＨ-ＳＲを用いてＳＲを送信せず、無線基地局ｅＮＢ＃１０との間で、スケジューリング要求の送信手順を開始する。
【００５２】
つまり、移動局ＵＥは、ベアラ＃Ｂ/ＬＣＨ＃Ｂが設定されている無線基地局＃１０によってＰＵＣＣＨ-ＳＲが割り当てられている場合には、無線基地局＃１０に対して、ＰＵＣＣＨ-ＳＲを用いてＳＲを送信し、そうでない場合には、無線基地局＃１０との間でＲＡ手順を開始する。
【００５３】
すなわち、かかる場合、移動局ＵＥは、各無線基地局ｅＮＢ＃１/＃１０に対して関連付けられているＬＣＨについてのみ、ＬＣＧ毎に、各ＬＣＨにおけるバッファ滞留量の総量を報告することとなる。
【００５４】
換言すると、同じＬＣＧに属するＬＣＨであっても、ＢＳＲを報告すべき無線基地局でない場合には、かかるＬＣＨにおけるバッファ滞留量は、かかるＢＳに反映されない。
【００５５】
第２に、無線基地局ｅＮＢ＃１０の受信部１１が、かかるＳＲを受信すると、無線基地局ｅＮＢ＃１０の送信部１２は、移動局ＵＥに対して、無線基地局ｅＮＢ＃１０配下のセルの無線リソースを用いて、ＰＵＳＣＨを割り当てる「ＵＬ  ｇｒａｎｔ」を送信する。
【００５６】
第３に、移動局ＵＥが、かかるＰＵＳＣＨを用いて、無線基地局ｅＮＢ＃１０に対して、ベアラ＃Ｂ/ＬＣＨ＃Ｂにおけるバッファ滞留量を報告するＢＳＲを送信する。
【００５７】
第４に、無線基地局ｅＮＢ＃１０の受信部１１が、かかるＢＳＲを受信すると、無線基地局ｅＮＢ＃１０の送信部１２が、移動局ＵＥに対して、ベアラ＃Ｂ/ＬＣＨ＃Ｂの上りデータを送信するためのリソースを通知する。
【００５８】
（変更例１）
図３乃至図５を参照して、本発明の変更例１に係る移動通信システムについて、上述の第１の実施形態に係る移動通信システムとの相違点に着目して説明する。
【００５９】
図３に示すように、本変更例１に係る移動局ＵＥは、管理部２１と、送信部２２と、受信部２３とを具備している。
【００６０】
管理部２１は、無線基地局ｅＮＢ（或いは、無線基地局ｅＮＢ配下のセル）とベアラ/ＬＣＨとの対応関係を管理するように構成されている。
【００６１】
本変更例１に係る移動通信システムでは、管理部２１は、無線基地局ｅＮＢ＃１（或いは、無線基地局ｅＮＢ＃１配下のセル＃１）とベアラ＃Ａ/ＬＣＨ＃Ａとを関連付け、無線基地局ｅＮＢ＃１０（或いは、無線基地局ｅＮＢ＃１０配下のセル＃１０）とベアラ＃Ｂ/ＬＣＨ＃Ｂとを関連付けるように構成されている。
【００６２】
受信部２３は、無線基地局ｅＮＢ＃１/１０から各種信号を受信するように構成されており、送信部２２は、無線基地局ｅＮＢ＃１/Ｅ１０に対して各種信号を送信するように構成されている。
【００６３】
以下、図４を参照して、本実施形態に係る移動通信システムの動作例について説明する。
【００６４】
第１に、移動局ＵＥは、ベアラ＃Ｂ/ＬＣＨ＃Ｂに関連付けられている無線基地局＃１０によってＰＵＣＣＨ-ＳＲが割り当てられていない場合には、ベアラ＃Ｂ/ＬＣＨ＃Ｂにて送信すべき上りデータが発生した場合に、ベアラ＃Ａ/ＬＣＨ＃Ａに関連付けられている無線基地局ｅＮＢ＃１によってＰＵＣＣＨ-ＳＲが割り当てられている場合であっても、ベアラ＃Ｂ/ＬＣＨ＃Ｂに関連付いていない無線基地局ｅＮＢ＃１に対して、かかるＰＵＣＣＨ-ＳＲを用いて、ＳＲを送信することなく、移動局ＵＥは、ベアラ＃Ｂ/ＬＣＨ＃Ｂに関連付いている無線基地局ｅＮＢ＃１０との間でＲＡ手順を開始する。
【００６５】
なお、移動局ＵＥは、ベアラ＃Ｂ/ＬＣＨ＃Ｂに関連付けられている無線基地局＃１０によってＰＵＣＣＨ-ＳＲが割り当てられている場合には、ベアラ＃Ｂ/ＬＣＨ＃Ｂにて送信すべき上りデータが発生した場合に、ベアラ＃Ａ/ＬＣＨ＃Ａと関連付けられている無線基地局からｅＮＢ＃１によってＰＵＣＣＨ-ＳＲが割り当てられている場合であっても、ベアラ＃Ｂ/ＬＣＨ＃Ｂに関連付いていない無線基地局ｅＮＢ＃１に対して、かかるＰＵＣＣＨ-ＳＲを用いて、ＳＲを送信することなく、移動局ＵＥは、ベアラ＃Ｂ/ＬＣＨ＃Ｂに関連付いている無線基地局ｅＮＢ＃１０に対して、ベアラ＃Ｂ/ＬＣＨ＃Ｂにおいて割り当てられているＰＵＣＣＨ-ＳＲを用いて、ＳＲを送信する。
【００６６】
第２に、無線基地局ｅＮＢ＃１０は、かかるＢＳＲの受信に応じて、移動局ＵＥに対して、上りデータを送信するためのリソースを割り当てる。
【００６７】
ここで、受信部２３は、ベアラ＃Ｂ/ＬＣＨ＃Ｂの設定時に、かかるベアラ＃Ｂ/ＬＣＨ＃Ｂに関連付けられる無線基地局ｅＮＢ＃１０（セル＃１０）の情報について、個別シグナリングによって取得するように構成されている。
【００６８】
また、受信部２３が、ベアラ＃Ｂ/ＬＣＨ＃Ｂに関連付けられている無線基地局ｅＮＢ＃１０（セル＃１０）において「ＵＬ  ｇｒａｎｔ」を受信した場合に、送信部２２は、かかる「ＵＬ  ｇｒａｎｔ」に対応するＰＵＳＣＨを用いて、無線基地局ｅＮＢ＃１０に対して、ベアラ＃Ｂ/ＬＣＨ＃Ｂにおけるバッファ滞留量を報告するＢＳＲを送信するように構成されている。
【００６９】
一方、受信部２３が、ベアラ＃Ｂ/ＬＣＨ＃Ｂに関連付けられていない無線基地局ｅＮＢ/セル（例えば、無線基地局＃１/セル＃１）において「ＵＬ  ｇｒａｎｔ」を受信した場合に、送信部２２は、かかる「ＵＬ  ｇｒａｎｔ」に対応するＰＵＳＣＨを用いて、ベアラ＃Ｂ/ＬＣＨ＃Ｂにおけるバッファ滞留量を報告するＢＳＲを送信しないように構成されている。
【００７０】
なお、受信部２３が、所定期間、ベアラ＃Ｂ/ＬＣＨ＃Ｂに関連付けられている無線基地局ｅＮＢ＃１０から、「ＵＬ  ｇｒａｎｔ」を受信しない場合、送信部２２は、無線基地局ｅＮＢ＃１０に対して、ＳＲを再送するように構成されていてもよい。
【００７１】
或いは、受信部２３が、所定期間、ベアラ＃Ｂ/ＬＣＨ＃Ｂに関連付けられている無線基地局ｅＮＢ＃１０から、「ＵＬ  ｇｒａｎｔ」を受信しない場合、送信部２２は、無線基地局ｅＮＢ＃１に対してＳＲを送信するように構成されていてもよいし、無線基地局ｅＮＢ＃１との間でＲＡ手順を起動するように構成されていてもよい。
【００７２】
また、上述のケースにおいて、複数の無線基地局ｅＮＢと「Ｉｎｔｅｒ-ｓｉｔｅ  ＣＡ」を行っている場合に、どの無線基地局ｅＮＢに対して優先的にＳＲを送信する（或いは、どの無線基地局ｅＮＢとの間でＲＡ手順を起動する）かについて予め決められていてもよい。さらに、かかる優先度は、無線基地局ｅＮＢによっ指定されていてもよい。
【００７３】
次に、図５を参照して、本実施形態に係る移動局ＵＥの動作例について説明する。
【００７４】
図５に示すように、移動局ＵＥは、ステップＳ１０１において、ベアラ＃Ｂ/ＬＣＨ＃Ｂにて送信すべき上りデータが発生したことを検知すると、ステップＳ１０２において、ベアラ＃Ｂ/ＬＣＨ＃Ｂに関連付けられている無線基地局ｅＮＢ＃１０に対して、ＳＲを送信する（ベアラ＃Ｂ/ＬＣＨ＃ＢにおいてＰＵＣＣＨ-ＳＲが割り当てられている場合）か、或いは、無線基地局ｅＮＢ＃１０との間で、ＲＡ手順を開始する（ベアラ＃Ｂ/ＬＣＨ＃ＢにおいてＰＵＣＣＨ-ＳＲが割り当てられていない場合）。
【００７５】
ステップＳ２０３において、移動局ＵＥが、所定期間内に、無線基地局ｅＮＢ＃１０から「ＵＬ  ｇｒａｎｔ」を受信すると、本動作は、ステップＳ１０４に進み、移動局ＵＥが、所定期間内に、無線基地局ｅＮＢ＃１０から「ＵＬ  ｇｒａｎｔ」を受信しないと、本動作は、ステップＳ１０２に戻る。
【００７６】
ステップＳ１０４において、移動局ＵＥは、「ＵＬ  ｇｒａｎｔ」に対応するＰＵＳＣＨを用いて、無線基地局ｅＮＢ＃１０に対して、ベアラ＃Ｂ/ＬＣＨ＃Ｂにおけるバッファ滞留量を報告するＢＳＲを送信する。
【００７７】
以上に述べた本実施形態の特徴は、以下のように表現されていてもよい。
【００７８】
本実施形態の第１の特徴は、移動局ＵＥが無線基地局ｅＮＢ＃１（第１無線基地局）配下のセル＃１（第１セル）及び無線基地局ｅＮＢ＃１０（第２無線基地局）配下のセル＃１０（第２セル）を介して「Ｉｎｔｅｒ-ｓｉｔｅ  ＣＡ（キャリアアグリゲーション）」を行うことができるように構成されている移動通信システムにおける移動通信方法であって、移動局ＵＥと無線基地局ｅＮＢ＃１との間でベアラ＃Ａ/ＬＣＨ＃Ａ（第１論理チャネル）が設定されており、移動局ＵＥと無線基地局ｅＮＢ＃１０との間でベアラ＃Ｂ/ＬＣＨ＃Ｂ（第２論理チャネル）が設定されており、ベアラ＃Ａ/ＬＣＨ＃Ａに関連付けられている無線基地局ｅＮＢ＃１によって移動局ＵＥに対してＰＵＣＣＨ-ＳＲ（スケジューリング要求送信用リソース）が割り当てられており、移動局ＵＥにおいてベアラ＃Ｂ/ＬＣＨ＃Ｂにて送信すべき上りデータが発生した場合、移動局ＵＥが、上述のＰＵＣＣＨ-ＳＲを用いて無線基地局ｅＮＢ＃１に対してＳＲ（スケジューリング要求）を送信する工程と、無線基地局ｅＮＢ＃１が、移動局ＵＥに対して、ＰＵＳＣＨ（バッファ滞留量送信用リソース）を指定する「ＵＬ  ｇｒａｎｔ」を通知する工程と、移動局ＵＥが、かかる「ＵＬ  ｇｒａｎｔ」で指定されるＰＵＳＣＨを用いて、無線基地局ｅＮＢ＃１に対して、ベアラ＃Ｂ/ＬＣＨ＃Ｂにおけるバッファ滞留量を報告するＢＳＲを送信する工程と、無線基地局ｅＮＢ＃１が、無線基地局ｅＮＢ＃１０に対して、ベアラ＃Ｂ/ＬＣＨ＃Ｂにおけるバッファ滞留量を通知する工程と、無線基地局ｅＮＢ＃１０が、かかるバッファ滞留量の受信に応じて、移動局ＵＥに対して、上りデータを送信するためのリソースを割り当てる工程とを有することを要旨とする。
【００７９】
かかる構成によれば、無線基地局ｅＮＢ＃１０と無線基地局ｅＮＢ＃１との間で、移動局ＵＥのベアラ＃Ｂ/ＬＣＨ＃Ｂにおけるバッファ滞留量を共有することができるため、移動局ＵＥが、ベアラ＃Ｂ/ＬＣＨ＃Ｂが設定されていない無線基地局ｅＮＢ＃１に対して、ベアラ＃Ｂ/ＬＣＨ＃Ｂにおけるバッファ滞留量を報告するＢＳＲを送信した場合であっても、無線基地局ｅＮＢ＃１０が、移動局ＵＥに対して、ベアラ＃Ｂ/ＬＣＨ＃Ｂにおいて上りデータを送信するためのリソースを割り当てることができる。
【００８０】
本実施形態の第２の特徴は、移動局ＵＥが無線基地局ｅＮＢ＃１配下のセル＃１及び無線基地局ｅＮＢ＃１０配下のセル＃１０を介して「Ｉｎｔｅｒ-ｓｉｔｅ  ＣＡ」を行うことができるように構成されている移動通信システムにおける移動通信方法であって、移動局ＵＥと無線基地局ｅＮＢ＃１との間でベアラ＃Ａ/ＬＣＨ＃Ａが設定されており、移動局ＵＥと無線基地局ｅＮＢ＃１０との間でベアラ＃Ｂ/ＬＣＨ＃Ｂが設定されており、ベアラ＃Ａ/ＬＣＨ＃Ａに関連付けられている無線基地局ｅＮＢ＃１及びベアラ＃Ｂ/ＬＣＨ＃Ｂに関連付けられている無線基地局ｅＮＢ＃１０によって移動局ＵＥに対してＰＵＣＣＨ-ＳＲが割り当てられており、移動局ＵＥにおいてベアラ＃Ｂ/ＬＣＨ＃Ｂにて送信すべき上りデータが発生した場合、移動局ＵＥが、無線基地局＃１によって割り当てられたＰＵＣＣＨ-ＳＲを用いて無線基地局ｅＮＢ＃１に対してＳＲを送信せず、無線基地局＃１０によって割り当てられたＰＵＣＣＨ-ＳＲを用いて無線基地局ｅＮＢ＃１０に対してＳＲを送信する工程と、無線基地局ｅＮＢ＃１０が、移動局ＵＥに対して、「ＵＬ  ｇｒａｎｔ」を通知する工程と、移動局ＵＥが、かかる「ＵＬ  ｇｒａｎｔ」で指定されたＰＵＳＣＨを用いて、無線基地局ｅＮＢ＃１０に対して、ベアラ＃Ｂ/ＬＣＨ＃ＢにおけるＢＳＲを送信する工程と、無線基地局ｅＮＢ＃１０が、かかるＢＳＲの受信に応じて、移動局ＵＥに対して、上りデータを送信するためのリソースを割り当てる工程とを有することを要旨とする。
【００８１】
かかる構成によれば、移動局ＵＥが、ベアラ＃Ｂ/ＬＣＨ＃Ｂにて送信すべき上りデータが発生した場合に、ベアラ＃Ａ/ＬＣＨ＃Ａに関連付けられている無線基地局ｅＮＢ＃１によってＰＵＣＣＨ-ＳＲが割り当てられている場合であっても、ベアラ＃Ｂ/ＬＣＨ＃Ｂに関連付いていない無線基地局ｅＮＢ＃１に対して、かかるＰＵＣＣＨ-ＳＲを用いて、ＳＲを送信することなく、移動局ＵＥは、ベアラ＃Ｂ/ＬＣＨ＃Ｂに関連付いている無線基地局ｅＮＢ＃１０に対してＳＲを送信するように構成されているため、無線基地局ｅＮＢ＃１０が、移動局ＵＥに対して、ベアラ＃Ｂ/ＬＣＨ＃Ｂにおいて上りデータを送信するためのリソースを割り当てることができる。
【００８２】
本実施形態の第３の特徴は、移動局ＵＥが無線基地局ｅＮＢ＃１配下のセル＃１及び無線基地局ｅＮＢ＃１０配下のセル＃１０を介して「Ｉｎｔｅｒ-ｓｉｔｅ  ＣＡ」を行うことができるように構成されている移動通信システムにおける移動通信方法であって、移動局ＵＥと無線基地局ｅＮＢ＃１との間でベアラ＃Ａ/ＬＣＨ＃Ａが設定されており、移動局ＵＥと無線基地局ｅＮＢ＃１０との間でベアラ＃Ｂ/ＬＣＨ＃Ｂが設定されており、ベアラ＃Ａ/ＬＣＨ＃Ａに関連付けられている無線基地局ｅＮＢによって移動局ＵＥに対してＰＵＣＣＨ-ＳＲが割り当てられており、ベアラ＃Ｂ/ＬＣＨ＃Ｂに関連付けられている無線基地局ｅＮＢ＃１０によって移動局ＵＥに対してＰＵＣＣＨ-ＳＲが割り当てられておらず、移動局ＵＥにおいてベアラ＃Ｂ/ＬＣＨ＃Ｂにて送信すべき上りデータが発生した場合、移動局ＵＥが、無線基地局ｅＮＢ＃１によって割り当てられたＰＵＣＣＨ-ＳＲを用いて無線基地局ｅＮＢ＃１に対してＳＲを送信せず、無線基地局＃１との間でＲＡ手順を起動する工程と、かかるＲＡ手順において無線基地局ｅＮＢ＃１０が、移動局ＵＥに対して、「ＵＬ  ｇｒａｎｔ」を通知する工程と、移動局ＵＥが、かかる「ＵＬ  ｇｒａｎｔ」で指定されたＰＵＳＣＨを用いて、無線基地局ｅＮＢ＃１０に対して、ベアラ＃Ｂ/ＬＣＨ＃ＢにおけるＢＳＲを送信する工程と、無線基地局ｅＮＢ＃１０が、かかるＢＳＲの受信に応じて、移動局ＵＥに対して、上りデータを送信するためのリソースを割り当てる工程とを有することを要旨とする。
【００８３】
かかる構成によれば、移動局ＵＥが、ベアラ＃Ｂ/ＬＣＨ＃Ｂにて送信すべき上りデータが発生した場合に、ベアラ＃Ａ/ＬＣＨ＃Ａに関連付けられている無線基地局ｅＮＢ＃１によってＰＵＣＣＨ-ＳＲが割り当てられている場合であっても、ベアラ＃Ｂ/ＬＣＨ＃Ｂに関連付けられていない無線基地局ｅＮＢ＃１に対して、かかるＰＵＣＣＨ-ＳＲを用いて、ＳＲを送信することなく、移動局ＵＥは、ベアラ＃Ｂ/ＬＣＨ＃Ｂに関連付けられている無線基地局ｅＮＢ＃１０に対してＳＲを送信するように構成されているため、無線基地局ｅＮＢ＃１０が、移動局ＵＥに対して、ベアラ＃Ｂ/ＬＣＨ＃Ｂにおいて上りデータを送信するためのリソースを割り当てることができる。
【００８４】
本実施形態の第４の特徴は、移動局ＵＥが無線基地局ｅＮＢ＃１配下のセル＃１及び無線基地局ｅＮＢ＃１０配下のセル＃１０を介して「Ｉｎｔｅｒ-ｓｉｔｅ  ＣＡ」を行うことができるように構成されている移動通信システムにおける移動通信方法であって、移動局ＵＥと無線基地局ｅＮＢ＃１との間でベアラ＃Ａ/ＬＣＨ＃Ａが設定されており、移動局ＵＥと無線基地局ｅＮＢ＃１０との間でベアラ＃Ｂ/ＬＣＨ＃Ｂが設定されており、ベアラ＃Ｂ/ＬＣＨ＃Ｂに無線基地局ｅＮＢ＃１０（又は、セル＃１０）が関連付けられており、移動局ＵＥにおいてベアラ＃Ｂ/ＬＣＨ＃Ｂにて送信すべき上りデータが発生した場合には、無線基地局ｅＮＢ＃１によって移動局ＵＥに対してＰＵＣＣＨ-ＳＲが割り当てられている場合であっても、移動局ＵＥが、無線基地局ｅＮＢ＃１０によって通知されたＰＵＳＣＨを用いて、無線基地局ｅＮＢ＃１０に対して、ベアラ＃Ｂ/ＬＣＨ＃ＢにおけるＢＳＲを送信する工程と、無線基地局ｅＮＢ＃１０が、かかるＢＳＲの受信に応じて、移動局ＵＥに対して、上りデータを送信するためのリソースを割り当てる工程とを有することを要旨とする。
【００８５】
かかる構成によれば、移動局ＵＥは、送信すべき上りデータが発生したベアラ＃Ｂ/ＬＣＨ＃Ｂに関連付けられている無線基地局ｅＮＢ＃１０に対して、ベアラ＃Ｂ/ＬＣＨ＃Ｂにおけるバッファ滞留量を報告するＢＳＲを送信するように構成されているため、無線基地局ｅＮＢ＃１０が、移動局ＵＥに対して、ベアラ＃Ｂ/ＬＣＨ＃Ｂにおいて上りデータを送信するためのリソースを割り当てることができる。
【００８６】
本実施形態の第５の特徴は、移動局ＵＥが無線基地局ｅＮＢ＃１配下のセル＃１及び無線基地局ｅＮＢ＃１０配下のセル＃１０を介して「Ｉｎｔｅｒ-ｓｉｔｅ  ＣＡ」を行うことができるように構成されている移動通信システムにおいて無線基地局ｅＮＢ＃１０として動作可能な無線基地局ｅＮＢであって、移動局ＵＥと無線基地局ｅＮＢ＃１との間でベアラ＃Ａ/ＬＣＨ＃Ａが設定されており、移動局ＵＥと無線基地局ｅＮＢ＃１０との間でベアラ＃Ｂ/ＬＣＨ＃Ｂが設定されており、無線基地局ｅＮＢ＃１によって移動局ＵＥに対してＰＵＣＣＨ-ＳＲが割り当てられており、移動局ＵＥにおいてベアラ＃Ｂ/ＬＣＨ＃Ｂにて送信すべき上りデータが発生した場合、移動局ＵＥが、ＰＵＣＣＨ-ＳＲを用いて無線基地局ｅＮＢ＃１に対してＳＲを送信した後、無線基地局ｅＮＢ＃１から、ベアラ＃Ｂ/ＬＣＨ＃Ｂにおけるバッファ滞留量を受信するように構成されている受信部１２と、かかるバッファ滞留量の受信に応じて、移動局ＵＥに対して、上りデータを送信するためのリソースを通知するように構成されている送信部１３とを具備することを要旨とする。
【００８７】
本実施形態の第６の特徴は、無線基地局ｅＮＢ＃１配下のセル＃１及び無線基地局ｅＮＢ＃１０配下のセル＃１０を介して「Ｉｎｔｅｒ-ｓｉｔｅ  ＣＡ」を行うことができるように構成されている移動局ＵＥであって、無線基地局ｅＮＢ＃１との間でベアラ＃Ａ/ＬＣＨ＃Ａが設定されており、無線基地局ｅＮＢ＃１０との間でベアラ＃Ｂ/ＬＣＨ＃Ｂが設定されており、無線基地局ｅＮＢ＃１及び無線基地局ｅＮＢ＃１０によって移動局ＵＥに対してＰＵＣＣＨ-ＳＲが割り当てられており、ベアラ＃Ｂ/ＬＣＨ＃Ｂにて送信すべき上りデータが発生した場合であっても、無線基地局ｅＮＢ＃１によって割り当てられたＰＵＣＣＨ-ＳＲを用いて無線基地局ｅＮＢ＃１に対してＳＲを送信せず、無線基地局ｅＮＢ＃１０によって割り当てられたＰＵＣＣＨ-ＳＲを用いて無線基地局ｅＮＢ＃１０に対してＳＲを送信するように構成されており、無線基地局ｅＮＢ＃１０によって通知されたＰＵＳＣＨを用いて、無線基地局ｅＮＢ＃１０に対して、ベアラ＃Ｂ/ＬＣＨ＃ＢにおけるＢＳＲを送信するように構成されていることを要旨とする。
【００８８】
本実施形態の第７の特徴は、無線基地局ｅＮＢ＃１配下のセル＃１及び無線基地局ｅＮＢ＃１０配下のセル＃１０を介して「Ｉｎｔｅｒ-ｓｉｔｅ  ＣＡ」を行うことができるように構成されている移動局ＵＥであって、無線基地局ｅＮＢ＃１との間でベアラ＃Ａ/ＬＣＨ＃Ａが設定されており、無線基地局ｅＮＢ＃１０との間でベアラ＃Ｂ/ＬＣＨ＃Ｂが設定されており、無線基地局ｅＮＢ＃１によって移動局ＵＥに対してＰＵＣＣＨ-ＳＲが割り当てられており、無線基地局ｅＮＢ＃１０によって移動局ＵＥに対してＰＵＣＣＨ-ＳＲが割り当てられておらず、ベアラ＃Ｂ/ＬＣＨ＃Ｂにて送信すべき上りデータが発生した場合であっても、無線基地局ｅＮＢ＃１によって割り当てられたＰＵＣＣＨ-ＳＲを用いて無線基地局ｅＮＢ＃１に対してＳＲを送信せず、無線基地局ｅＮＢ＃１０との間でＲＡ手順を開始するように構成されており、かかるＲＡ手順において、無線基地局ｅＮＢ＃１０によって通知されたＰＵＳＣＨを用いて、無線基地局ｅＮＢ＃１０に対して、ベアラ＃Ｂ/ＬＣＨ＃ＢにおけるＢＳＲを送信するように構成されていることを要旨とする。
【００８９】
本実施形態の第８の特徴は、無線基地局ｅＮＢ＃１配下のセル＃１及び無線基地局ｅＮＢ＃１０配下のセル＃１０を介して「Ｉｎｔｅｒ-ｓｉｔｅ  ＣＡ」を行うことができるように構成されている移動局ＵＥであって、無線基地局ｅＮＢ＃１との間でベアラ＃Ａ/ＬＣＨ＃Ａが設定されており、無線基地局ｅＮＢ＃１０との間でベアラ＃Ｂ/ＬＣＨ＃Ｂが設定されており、無線基地局ｅＮＢ＃１０によって移動局ＵＥに対してＰＵＣＣＨ-ＳＲが割り当てられており、ベアラ＃Ｂ/ＬＣＨ＃Ｂに無線基地局ｅＮＢ＃１（又は、セル＃１）が関連付けられており、ベアラ＃Ｂ/ＬＣＨ＃Ｂにて送信すべき上りデータが発生した場合、ＰＵＣＣＨ-ＳＲを用いて無線基地局ｅＮＢ＃１０に対してＳＲを送信するように構成されており、無線基地局ｅＮＢ＃１０によって通知されたＰＵＳＣＨを用いて、無線基地局ｅＮＢ＃１０に対して、ベアラ＃Ｂ/ＬＣＨ＃ＢにおけるＢＳＲを送信するように構成されていることを要旨とする。
【００９０】
本実施形態の第９の特徴は、無線基地局ｅＮＢ＃１配下のセル＃１及び無線基地局ｅＮＢ＃１０配下のセル＃１０を介して「Ｉｎｔｅｒ-ｓｉｔｅ  ＣＡ」を行うことができるように構成されている移動局ＵＥであって、無線基地局ｅＮＢ＃１との間でベアラ＃Ａ/ＬＣＨ＃Ａが設定されており、無線基地局ｅＮＢ＃１０との間でベアラ＃Ｂ/ＬＣＨ＃Ｂが設定されており、ベアラ＃Ｂ/ＬＣＨ＃Ｂに無線基地局ｅＮＢ＃１０（又は、セル＃１０）が関連付けられており、ベアラ＃Ｂ/ＬＣＨ＃Ｂにて送信すべき上りデータが発生した場合には、無線基地局ｅＮＢ＃１によって移動局ＵＥに対してＰＵＣＣＨ-ＳＲが割り当てられている場合であっても、無線基地局ｅＮＢ＃１によって割り当てられたＰＵＣＣＨ-ＳＲを用いて無線基地局ｅＮＢ＃１に対してＳＲを送信せず、無線基地局ｅＮＢ＃１０によって割り当てられたＰＵＣＣＨ-ＳＲを用いて無線基地局ｅＮＢ＃１０に対してＳＲを送信する、或いは、無線基地局ｅＮＢ＃１０との間でＲＡ手順を起動するように構成されており、所定期間、無線基地局ｅＮＢ＃１０によって移動局ＵＥに対してリソースが割り当てられない場合に、無線基地局ｅＮＢ＃１に対して、無線基地局ｅＮＢ＃１によって割り当てられたＰＵＣＣＨ-ＳＲを用いてＳＲを送信する、或いは、無線基地局ｅＮＢ＃１との間でＲＡ手順を起動するように構成されていることを要旨とする。
【００９１】
本実施形態の第１０の特徴は、移動局ＵＥが無線基地局ｅＮＢ＃１配下のセル＃１及び無線基地局ｅＮＢ＃１０配下のセル＃１０を介して「Ｉｎｔｅｒ-ｓｉｔｅ  ＣＡ」を行うことができるように構成されている移動通信システムにおいて無線基地局ｅＮＢ＃１として動作可能な無線基地局ｅＮＢであって、移動局ＵＥと無線基地局ｅＮＢ＃１との間でベアラ＃Ａ/ＬＣＨ＃Ａが設定されており、移動局ＵＥと無線基地局ｅＮＢ＃１０との間でベアラ＃Ｂ/ＬＣＨ＃Ｂが設定されており、無線基地局ｅＮＢ＃１によって移動局ＵＥに対してＰＵＣＣＨ-ＳＲが割り当てられており、移動局ＵＥにおいてベアラ＃Ｂ/ＬＣＨ＃Ｂにて送信すべき上りデータが発生した場合、移動局ＵＥから、ＰＵＣＣＨ-ＳＲを用いてＳＲを受信した後、移動局ＵＥに対して、「ＵＬ  ｇｒａｎｔ」を通知するように構成されており、移動局ＵＥから、かかる「ＵＬ  ｇｒａｎｔ」で指定されたＰＵＳＣＨを用いて、ベアラ＃Ｂ/ＬＣＨ＃Ｂにおけるバッファ滞留量を受信した際に、無線基地局ｅＮＢ＃１０に対して、かかるバッファ滞留量を通知するように構成されていることを要旨とする。
【００９２】
なお、ベアラと無線基地局（或いは、セル）との関連付けは、ＲＲＣレイヤで通知されてもよいし、ＰＤＣＰレイヤやＲＬＣレイヤやＭＡＣレイヤや物理レイヤ等の任意のレイヤで通知されてもよい。
【００９３】
なお、上述の移動局ＵＥや無線基地局ｅＮＢ＃１/＃１０の動作は、ハードウェアによって実施されてもよいし、プロセッサによって実行されるソフトウェアモジュールによって実施されてもよいし、両者の組み合わせによって実施されてもよい。
【００９４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/＃１０内に設けられていてもよい。また、かかる記憶媒体及びプロセッサは、ディスクリートコンポーネントとして移動局ＵＥや無線基地局ｅＮＢ＃１/＃１０内に設けられていてもよい。
【００９６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９７】
ｅＮＢ＃１、ｅＮＢ＃１０…無線基地局
ＵＥ…移動局
１１、２３…受信部
１２、２２…送信部
２１…管理部
【図１】
2014053683.tif 000003
【図２】
2014053683.tif 000004
【図３】
2014053683.tif 000005
【図４】
2014053683.tif 000006
【図５】
2014053683.tif 000007
【図６】
2014053683.tif 000008
【図７】
2014053683.tif 000009
【図８】
2014053683.tif 000010
【図９】
2014053683.tif 000011
【図１０】
2014053683.tif 000012